(57)【要約】【課題】コネクタ本体とこれを収容する筐体との位置決めを筐体の大型化を招かずに行なうことができるコネクタを提供することである。【解決手段】筐体５０２を、環状空間５６を介してコネクタ本体５０１のハウジング５２を包囲するように配置されるシェル５４と、このシェル５４の後端部に装着され、コネクタ本体５０１のハウジング５２以外の部分を収容する筐体本体５５とで構成する。ハウジング５２に装着したグランドシェル５３に、環状凸部５３ｅを形成する。シェル５４に、環状凸部５３ｅと係合可能な環状凹部５４ｆを形成する。【選択図】図２
2008204802.tif 000002
【特許請求の範囲】
【請求項１】
コンタクトを有するコネクタ本体と、
このコネクタ本体を収容する筐体とを備えているコネクタにおいて、
前記筐体は、空間を介して前記コネクタ本体の相手側コネクタとの嵌合側部分を包囲するように配置される前側筐体部と、この前側筐体部の後端部に装着され、前記コネクタ本体の前記嵌合側部分とは反対側の後側部分を収容する後側筐体部とを有し、
前記コネクタ本体は、位置決め部を有し、
前記前側筐体部は、前記位置決め部と係合可能な被位置決め部を有する
ことを特徴とするコネクタ。
【請求項２】
前記コネクタ本体は、前記コンタクトを保持するハウジングと、このハウジングを覆うようにして装着されるグランドシェルとを有することを特徴とする請求項１記載のコネクタ。
【請求項３】
前記位置決め部は前記グランドシェルに形成されていることを特徴とする請求項２記載のコネクタ。
【請求項４】
前記前側筐体部の内周面にＯリングが装着されていることを特徴とする請求項１〜３のいずれか１項記載のコネクタ。
【請求項５】
請求項１〜４のいずれか１項記載のコネクタとＣＣＤモジュールとを備えたことを特徴とする装置。
【発明の詳細な説明】
【技術分野】
【０００１】
この発明はコネクタに関し、例えばデジタルカメラの等コネクタとして好適なコネクタとそれを備えた装置に関する。
【背景技術】
【０００２】
従来、接続端子とカメラケースとを備える防水コネクタが知られている（下記特許文献１参照）。
【０００３】
接続端子はピン状である。カメラケースはＣＣＤカメラユニット等を収容するケースである。カメラケースはケース半部と蓋体とで構成されている。ケース半部は隔壁を有する。隔壁は接続端子を保持する。接続端子の両端部は隔壁から突出する。隔壁の外面には隔壁からカメラケース外へ突出した接続端子の一端部を囲むように円筒状部が形成されている。円筒状部内にはパッキンが収容されている。円筒状部にはパッキンを保持するパッキンホルダが装着されている。蓋体はシールゴムを介してケース半部にねじ止めされる。
【０００４】
この防水コネクタによれば、ＣＣＤカメラユニット等が水に濡れるのを防ぐことができる。
【特許文献１】特開２００５−３２７５７０号公報（段落００３４、００３５、図２参照）
【発明の開示】
【発明が解決しようとする課題】
【０００５】
上述の防水コネクタでは、接続端子の他端部はケース半部に収容された第１の基板に半田付けされている。蓋体内には第２の基板が収容されている。第２の基板はＦＰＣによって第１の基板に接続されている。第２の基板にはＣＣＤカメラユニットが実装されている。第２の基板はＣＣＤカメラユニットの光軸合わせの後にカメラケースに固定される。
【０００６】
第１の基板はケース半部の隔壁に固定された接続端子に接続されているので、動かすことができないため、ＣＣＤカメラユニット等の部品のように位置調整を必要とする電子部品を第１の基板に実装することはできない。したがって、上述の防水コネクタでは、位置調整可能な第２の基板をカメラケース内に配置し、この第２の基板にＣＣＤカメラユニットを実装し、第２の基板をＦＰＣで第１の基板に接続していた。
【０００７】
このように、従来の防水コネクタでは、位置調整の必要な電子部品を第１の基板に電気的に接続するために第２の基板が用いられているため、第２の基板を収容するためにカメラケース体が大型化し、それがコネクタの大型化を招く一因になっていた。
【０００８】
この発明はこのような事情に鑑みてなされたもので、コネクタ本体とこれを収容する筐体との位置決めを筐体の大型化を招かずに行なうことができるコネクタを提供することである。
【課題を解決するための手段】
【０００９】
前述の課題を解決するため請求項１の発明のコネクタは、コンタクトを有するコネクタ本体と、このコネクタ本体を収容する筐体とを備えているコネクタにおいて、前記筐体は、空間を介して前記コネクタ本体の相手側コネクタとの嵌合側部分を包囲するように配置される前側筐体部と、この前側筐体部の後端部に装着され、前記コネクタ本体の前記嵌合側部分とは反対側の後側部分を収容する後側筐体部とを有し、前記コネクタ本体は、位置決め部を有し、前記前側筐体部は、前記位置決め部と係合可能な被位置決め部を有することを特徴とする。
【００１０】
上述のように、筐体は前側筐体部と後側筐体部とを有し、コネクタ本体は位置決め部を有し、前側筐体部はコネクタ本体の位置決め部と係合可能な被位置決め部を有するので、組立時にコネクタ本体の位置調整をしても、その後コネクタ本体の位置決め部と前側筐体部の被位置決め部との係合によって前側筐体部をコネクタ本体に対して正確に位置決めすることができ、コネクタ本体と前側筐体部との位置関係は一定に保たれる。
【００１１】
請求項２の発明は、請求項１記載のコネクタにおいて、前記コネクタ本体は、前記コンタクトを保持するハウジングと、このハウジングを覆うようにして装着されるグランドシェルとを有することを特徴とする。
【００１２】
請求項３の発明は、請求項２記載のコネクタにおいて、前記位置決め部は前記グランドシェルに形成されていることを特徴とする。
【００１３】
請求項４の発明は、請求項１〜３のいずれか１項記載のコネクタにおいて、前記前側筐体部の内周面にＯリングが装着されていることを特徴とする。
【００１４】
請求項５の発明の装置は、請求項１〜４のいずれか１項記載のコネクタとＣＣＤモジュールとを備えたことを特徴とする。
【発明の効果】
【００１５】
この発明によれば、コネクタ本体とこれを収容する筐体との位置決めを筐体の大型化を招かずに行なうことができる。
【発明を実施するための最良の形態】
【００１６】
以下、この発明の実施の形態を図面に基づいて説明する。
【００１７】
図１Ａはこの発明の一実施形態に係るレセプタクルコネクタの正面図、図１Ｂは同レセプタクルコネクタの側面図、図１Ｃは同レセプタクルコネクタの底面図、図２は図１に示すII−II線に沿う断面図、図３Ａは図１に示されるレセプタクルコネクタに接続されるプラグコネクタの正面図、図３Ｂは同プラグコネクタの側面図、図３Ｃは同プラグコネクタの底面図、図４は図１に示すレセプタクルコネクタに図３に示すプラグコネクタが接続される前の状態を示す断面図、図５は図１に示すレセプタクルコネクタに図３に示すプラグコネクタが接続された後の状態を示す断面図である。
【００１８】
図１に示すように、レセプタクルコネクタ５０はコネクタ本体５０１と筐体５０２とを備える。
【００１９】
図２、４に示すように、コネクタ本体５０１はメス端子（コンタクト）５１とハウジング５２とグランドシェル５３とで構成されている。
【００２０】
メス端子５１は接触部５１ａと端子部５１ｂと連結部５１ｃとを有する。接触部５１ａは後述するプラグコネクタ１０のオス端子１１と接触する。端子部５１ｂはプリント基板６１の導電路（図示せず）に半田付けされる。連結部５１ｃは接触部５１ａと端子部５１ｂとを連結する。
【００２１】
ハウジング５２はほぼ円筒状であり、受容部５２ａと端子収容孔５２ｂと有する。受容部５２ａはプラグコネクタ１００のプラグ側ハウジング１２の端子保持部１２１をオス端子１１とともに受け容れる。端子収容孔５２ｂはメス端子５１を収容し、その一端部は受容部５２ａに通じている。ハウジング５２の後側部分を除く部分がコネクタ本体５０１の嵌合部に相当する。
【００２２】
グランドシェル５３はカバー部５３ａと収容部５３ｂと連結部５３ｃと蓋部５３ｄとを有する。カバー部５３ａと収容部５３ｂと連結部５３ｃと蓋部５３ｄとは導電性を有する金属薄板で形成されている。カバー部５３ａは円筒状であり、ハウジング５２の外周面を覆う。収容部５３ｂは円筒状であり、プリント基板６１、プリント基板６１に実装されたＣＣＤ６２等を収容する。連結部５３ｃはカバー部５３ａと収容部５３ｂとを連結している。連結部５３ｃには環状凸部（位置決め部）５３ｅが形成されている。環状凸部５３ｅはカバー部５３ａの方へ突出している。環状凸部５３ｅの中心軸とカバー部５３ａの中心軸とは一致する。環状凸部５３ｅの外周面はテーパ状に形成されている。蓋部５３ｄは収容部５３ｂに連結され、収容部５３ｂの開口を閉じる。グランドシェル５３の前端部を除く部分がコネクタ本体５０２の後側部分に相当する。
【００２３】
筐体５０２はシェル（前側筐体部）５４と筐体本体（後側筐体部）５５とで構成されている。
【００２４】
シェル５４は円筒状部５４ａとフランジ部５４ｂとを有する。円筒状部５４ａとフランジ部５４ｂとは樹脂で一体に形成されている。円筒状部５４ａはグランドシェル５３のカバー部５３ａを取り囲む。円筒状部５４ａとカバー部５３ａとの間には環状空間（空間）５６が形成されている。円筒状部５４ａの外周面には８つのロック爪５４ｃが周方向へ等間隔に形成されている。円筒状部５４ａの内周面には３つの嵌合メインキー５４ｄが周方向へ等間隔に形成されている。嵌合メインキー５４ｄはプラグコネクタ１００のバレル１６の誤嵌合防止キー溝１６１ａに挿入される。円筒状部５４ａの後部の周面には環状切欠き５４ｅが形成されている。環状切欠き５４ｅにはＯリング５７が配置されている。
【００２５】
フランジ部５４ｂの背面には環状凹部（被位置決め部）５４ｆが形成されている。環状凹部５４ｆは円筒状部５４ａの方へ窪んでいる。環状凹部５４ｆの中心軸と円筒状部５４ａの中心軸とは一致する。環状凹部５４ｆの内周面はテーパ状に形成されている。環状凹部５４ｆはグランドシェル５３の環状凸部５３ｅと係合する。
【００２６】
筐体本体５５は有底角筒状であり、プリント基板６１、ＣＣＤ６２等を収容する。筐体本体５５の先端部には段差面５５ａが形成され、その先端部の内径はフランジ部５４ｂの外径より大きい（図４参照）。フランジ部５４ｂを筐体本体５５の段差面５５ａに固定する前、筐体本体５５に対してシェル５４は嵌合方向と直交する方向（筐体本体５５の図２の図面で上下方向）へ移動可能である。
【００２７】
図３、４に示すように、レセプタクルコネクタ５０の相手側コネクタであるプラグコネクタ１００はアングル型のコネクタである。プラグコネクタ１００はコネクタ本体１０とアングルエンドベル１５とバレル１６とカップリングナット１８とグランドナット１９とを備える。
【００２８】
コネクタ本体１０はオス端子１１とプラグ側ハウジング１２とシールド部材１３とで構成されている。
【００２９】
オス端子１１は金属薄板を打ち抜いて形成され、ほぼ板状である。オス端子１１はレセプタクルコネクタ５０のメス端子５１に接触する。オス端子１１にはケーブル２８の電線２８ｄの芯線２８ｆが接続されている。
【００３０】
プラグ側ハウジング１２は端子保持部１２１と係合部１２２とワイヤ保持部１２３とを有する。端子保持部１２１と係合部１２２とワイヤ保持部１２３とは樹脂で一体に形成されている。
【００３１】
端子保持部１２１はほぼ角柱状である。端子保持部１２１はオス端子１１を保持する。端子保持部１２１の上面には位置決めキー１２１ａが形成されている。
【００３２】
係合部１２２はほぼ円板状であり、その中央部を端子保持部１２１が貫通している。係合部１２２は後述するシールド部材１３のシールド部１３１に係止される。
【００３３】
ワイヤ保持部１２３はほぼ円錐台形であり、端子保持部１２１の後端に連結されている。ワイヤ保持部１２３はケーブル２８の電線２８ｄを保持する。
【００３４】
シールド部材１３はシールド部１３１とクランプ部１３２とを有する。シールド部１３１とクランプ部１３２とは金属薄板で一体に形成されている。シールド部１３１は円筒状であり、プラグ側ハウジング１２に装着され、プラグ側ハウジング１２を覆う。シールド部１３１には３つのランス１３１ｂが周方向へ等間隔に形成されている。ランス１３１ｂは切り起しにより形成され、シールド部１３１の内側に引っ込んでいる。係合部１２２のワイヤ保持部１２３側の面を支える。
【００３５】
クランプ部１３２はシールド部１３１に対してほぼ直角に連結され、ケーブル２８の一端部をクランプする。ケーブル２８はシールド線（図示せず）を有する。シールド線はケーブル２８の外被２８ａの先端部に装着されたスリーブ２３とクランプ部１３２との間に挟まれている。クランプ部１３２の外周面にはフェルール２４が装着され、これをかしめることによってスリーブ２３、シールド線、クランプ部１３２及びフェルール２４が一体化し、シールド線がシールド部材１３に電気的に接続される。
【００３６】
アングルエンドベル１５は包囲部１５１とケーブル引出部１５２とを有する。包囲部１５１とケーブル引出部１５２とは樹脂で一体に形成されている。包囲部１５１は円筒状であり、シールド部１３１の先端部を除き、シールド部材１３を覆う。包囲部１５１の外周面には３つのロック爪１５１ａが周方向へ等間隔に形成されている。
【００３７】
ケーブル引出部１５２はほぼ円柱状であり、包囲部１５１に連結されている。ケーブル引出部１５２はシールド部材１３のクランプ部１３２を覆う。ケーブル引出部１５２の外周面には３つのロック爪１５２ａが形成されている。ケーブル引出部１５２の外周面の３つのロック爪１５２ａ間には嵌合凸部１５２ｂが形成されている。嵌合凸部１５２ｂはほぼ直方体状である。
【００３８】
バレル１６は円筒部１６１とフランジ部１６２とを有する。円筒部１６１とフランジ部１６２とは樹脂で一体に形成されている。円筒部１６１はシールド部材１３のシールド部１３１の先端部を覆う。円筒部１６１の外周面には３つの誤嵌合防止キー溝１６１ａが周方向へ等間隔に形成されている。誤嵌合防止キー溝１６１ａは嵌合・離脱方向に沿って延びている。
【００３９】
フランジ部１６２は円筒部１６１の後端に連結されている。フランジ部１６２はＯリング２１を介してアングルエンドベル１５の段差面１５１ｄに突き合わされる。これにより、アングルエンドベル１５の内部空間がシールされる。
【００４０】
カップリングナット１８はカバー部１８１と嵌合部１８２とを有する。カバー部１８１と嵌合部１８２とは樹脂製で一体に形成されている。カバー部１８１はほぼ円筒状であり、アングルエンドベル１５の包囲部１５１及びバレル１６１を覆う。カバー部１８１の後端部には３つのロック孔１８１ａが周方向へ所定間隔に形成されている。ロック孔１８１ａはアングルエンドベル１５のロック爪１５１ａを受け入れてロック爪１５１ａと係合する。また、カバー部１８１の後端部には切欠き（図示せず）が形成されている。切欠きはカップリングナット１８がアングルエンドベル１５に接触しないようにするためのものである。ロック孔１８１ａにアングルエンドベル１５１のロック爪１５１ａが挿入されることによってカップリングナット１８がアングルエンドベル１５にロックされる。
【００４１】
カバー部１８１の前端部には、一対のロック片１８１ｂが形成されている（図３参照）。一対のロック片１８１ｂはカバー部１８１の中心に対して点対称の位置にある。ロック片１８１ｂはカバー部１８１の径方向で変形可能であり、孔１８１ｃを有する。孔１８１ｃはレセプタクルコネクタ５０のロック爪５４ｃを受け入れる。このときロック片１８１ｂとロック爪５４ｃとが係合する。
【００４２】
嵌合部１８２はカバー部１８１に対してほぼ直角に連結されている。嵌合部１８２の背面には嵌合凹部１８２ａが形成されている。嵌合凹部１８２ａはアングルエンドベル１５の嵌合凸部１５２ｂと嵌合する。
【００４３】
グランドナット１９は有底筒状であり、樹脂製である。グランドナット１９の横断面形状はほぼ鍵穴状であり、その後部には３つのロック孔１９１ａが形成されている。３つのロック孔１９１ａはアングルエンドベル１５のロック爪１５２ａを受け容れる。
【００４４】
グランドナット１９の前部にはロック孔１９２ａが形成されている。ロック孔１９２ａはカップリングナット１８のロック爪１８２ｂを受け容れる。
【００４５】
次に、レセプタクルコネクタ５０の組立手順について説明する。
【００４６】
図２に示すように、まず、プリント基板６１の一面にハウジング５２に保持されたメス端子５１の端子部５１ｂを半田付けし、プリント基板６１の他面にＣＣＤ６２を実装する。
【００４７】
次に、ハウジング５２をグランドシェル５３のカバー部５３ａに挿入するとともにプリント基板６１及びＣＣＤ６２を収容部５３ｂ内に収容する。その後、蓋部５３ｄを閉じる。
【００４８】
その後、グランドシェル５３を筐体本体５５に収容する。そして、ＣＣＤ６２の光軸と筐体本体５５に設けた孔、レンズ等（図示せず）の軸との光軸合わせを行う。ＣＣＤ６２の光軸合わせが終わったら、グランドシェル５３を筐体本体５５にねじ、接着剤等により固定する。
【００４９】
次に、筐体本体５５の段差面５５ａ上にシェル５４を配置する。このとき、グランドシェル５３の環状凸部５３ｅとシェル５４の環状凹部５４ｆとが係合する。環状凸部５３ｅの外周面と環状凹部５４ｆの内周面とはそれぞれテーパ状であるので、シェル５４はカバー部５３ａと同軸になるように位置決めされる。
【００５０】
シェル５４が環状凸部５３ｅと環状凹部５４ｆとの係合によって位置決めされたら、シェル５４を筐体本体５５にねじ等の固定手段によって固定する。
【００５１】
次に、レセプタクルコネクタ５０にプラグコネクタ１００を接続する作業について説明する。
【００５２】
図４に示すように、レセプタクルコネクタ５０の嵌合メインキー５４ｄとプラグコネクタ１００の誤嵌合防止キー溝１６１ａとを向い合せ、プラグコネクタ１００を嵌合方向へ沿って真っ直ぐ押し込む。
【００５３】
その結果、プラグコネクタ１００のロック片１８１ｂの孔１８１ｃにレセプタクルコネクタ５０のロック爪５４ｃが嵌り、図５に示すように、プラグコネクタ１００がレセプタクルコネクタ５０にロックされる。また、オス端子１１がメス端子５１に接触し、プラグコネクタ１００がレセプタクルコネクタ５０に接続される。
【００５４】
このとき、プラグコネクタ１００のバレル１６の先端部がレセプタクルコネクタ５０のＯリング５７を押し潰し、レセプタクルコネクタ５０の内部空間がシールされる。
【００５５】
以上のように、この実施形態のレセプタクルコネクタ５０によれば、レセプタクルコネクタ５０の組立時にＣＣＤ６２の光軸合わせのためにコネクタ本体５０１の位置調整をしても、その後グランドシェル５３の環状凸部５３ｅとシェル５４の環状凹部５４ｆとの係合によってシェル５４をコネクタ本体５０１に対して正確に位置決めすることができる。その結果、レセプタクルコネクタ５０にプラグコネクタ１００を支障なく接続することができる。更に、レセプタクルコネクタ５０とプラグコネクタ１００とが偏心せずに嵌合するため、防水シール面も偏心せず、シールの信頼性が増す。
【００５６】
また、ＣＣＤ６２が実装されたプリント基板６１にコネクタ本体５０１を実装することができ、従来技術のようにプリント基板を２枚必要としないので、筐体５０２を小型化、ひいてはコネクタ本体５０１の小型化を図ることができる。
【００５７】
なお、上述の実施形態では、コネクタ本体５０１はグランドシェル５３を有するものであるが、例えばＥＭＩ対策が必要でない場合、グランドシェル５３を省略することができる。この場合、コネクタ本体５０１の位置決め部はコネクタ本体５０1のハウジング１２に形成すればよい。
【００５８】
また、この実施形態では、位置決め部として環状凸部５３ｅを用い、被位置決め部として被環状凸部５４ｆを用いたが、位置決め部や被位置決め部の形状はそれらに限られない。
【図面の簡単な説明】
【００５９】
【図１Ａ】図１Ａはこの発明の一実施形態に係るレセプタクルコネクタの正面図である。
【図１Ｂ】図１Ｂは同レセプタクルコネクタの側面図である。
【図１Ｃ】図１Ｃは同レセプタクルコネクタの底面図である。
【図２】図２は図１に示すII−II線に沿う断面図である。
【図３Ａ】図３Ａは図１に示されるレセプタクルコネクタに接続されるプラグコネクタの正面図である。
【図３Ｂ】図３Ｂは同プラグコネクタの側面図である。
【図３Ｃ】図３Ｃは同プラグコネクタの底面図である。
【図４】図４は図１に示すレセプタクルコネクタに図３に示すプラグコネクタが接続される前の状態を示す断面図である。
【図５】図５は図１に示すレセプタクルコネクタに図３に示すプラグコネクタが接続された後の状態を示す断面図である。
【符号の説明】
【００６０】
５０１  コネクタ本体
５０  レセプタクルコネクタ
５１  メス端子（コンタクト）
５２  ハウジング
５３  グランドシェル
５３ｅ  環状凸部（位置決め部）
５０２  筐体
５４  シェル（前側筐体部）
５４ｆ  環状凹部（被位置決め部）
５５  筐体本体（後側筐体部）
５６  環状空間（空間）
５７  Ｏリング
【図１Ａ】
2008204802.tif 000003
【図１Ｂ】
2008204802.tif 000004
【図１Ｃ】
2008204802.tif 000005
【図２】
2008204802.tif 000006
【図３Ａ】
2008204802.tif 000007
【図３Ｂ】
2008204802.tif 000008
【図３Ｃ】
2008204802.tif 000009
【図４】
2008204802.tif 000010
【図５】
2008204802.tif 000011